(57)【要約】  【課題】口栓の握り易さを損なうことなく、開栓に必要となる力を口栓にかけやすくすることのできる合成樹脂製ボトルを提供することである。  【解決手段】内容量が１０００ミリリットル未満となり、口栓が螺合すべき口部（１１）と、該口部（１１）から連続して徐々に外径が大きくなるように形成される肩部（１２）と、該肩部（１２）に続く胴部（１３）とを有する合成樹脂製ボトルであって、前記口部（１１）の外径が３５ミリメートル以上５０ミリメートル以下の範囲内であって、前記胴部（１３）の外径が５０ミリメートル以上７０ミリメートル以下の範囲内にある構成となる。【選択図】  図１
2005104547.tif 000002
【特許請求の範囲】
【請求項１】
内容量が１０００ミリリットル未満となり、口栓が螺合すべき口部と、該口部から連続して徐々に外径が大きくなるように形成される肩部と、該肩部に続く胴部とを有する合成樹脂製ボトルであって、
前記口部の外径が３５ミリメートル以上５０ミリメートル以下の範囲内であって、前記胴部の外径が５０ミリメートル以上７０ミリメートル以下の範囲内にあることを特徴とする合成樹脂製ボトル。
【請求項２】
内容量が１０００ミリリットル未満となり、口栓が螺合すべき口部と、該口部から連続して徐々に外径が大きくなるように形成される肩部と、該肩部に続く胴部とを有する合成樹脂製ボトルであって、
前記胴部の外径が６０ミリメートル以上７０ミリメートル以下の範囲内であり、前記口部の外径と前記胴部の外径との比が０．５以上、０．６以下となる範囲内にあることを特徴とする合成樹脂製ボトル。
【請求項３】
前記口部の外径と前記胴部の外径との比が０．５４以上、０．５６以下となる範囲内にあることを特徴とする請求項２記載の合成樹脂製ボトル。
【請求項４】
前記口部の外壁に、前記口栓と噛み合う多条螺子が形成されたことを特徴とする請求項１乃至３のいずれかに記載の合成樹脂製ボトル。
【請求項５】
前記胴部に、凹凸を有するパネル面が形成されたことを特徴とする請求項１乃至４のいずれかに記載の合成樹脂製ボトル。
【発明の詳細な説明】
【技術分野】
【０００１】
本発明は、ペット（ポリエチレンテレフタレート（ＰＥＴ）等の合成樹脂にて形成されたボトルに関する。
【背景技術】
【０００２】
ペットボトルは、飲料液の容器として広く利用されている。この種のペットボトルは、通常、口部、肩部及び胴部を有している（例えば、特許文献１）。このような構造であって、１０００ｍｌより少ない容量となる従来のペットボトルの口部の外径は概ね２７ミリメートルに統一されたものとなっている。そして、従来の代表的なペットボトルの外形形状は以下の表に示す通りである。
【０００３】
【表１】
2005104547.tif 000003
【０００４】
【特許文献１】特開平１１−３０１６３３号公報
【発明の開示】
【発明が解決しようとする課題】
【０００５】
ところで、内容量が１０００ｍｌより小さいペットボトルでは、一方の手で胴部を握り、他方の手で口栓を廻すことにより開栓することとなる。このような開栓動作を考えると、口栓を廻すために必要な力が大きくなればなるほど、胴部を握る力も大きくなるので、特にペットボトルのような合成樹脂製のボトルでは、胴部を握る力が大きくなりすぎると、開栓直後にボトル内の飲料液が口部から噴出してしまうおそれがある。また、冷蔵やホット販売された容器入り飲料の場合、内容物が冷たくて、あるいは熱くて容器胴部をしっかりと握ることができない場合がある。このため、開栓に必要な力をできるだけ口栓にかけやすくすることが望ましい。
【０００６】
開栓に必要となる口栓を廻す力は、ボトルの口部の外径、即ち、口栓の外径が小さいほど少なくて済むはずであるが、口栓が小さすぎると、かえって手指が口栓に掛け難く握り難くなり、必要な力がかけ難くなって開栓しづらくなる。このことからすると、従来のペットボトルの口部外径（２７ミリメートル）が必ずしも適当であるとはいい得ない。
【０００７】
また、口部の外径が大きくなりすぎると、飲料液を充填する工程において、ペットボトルの振動にて充填された飲料液が口部から外部にはねださないようにするために、ペットボトル内のヘッドスペースを比較的大きくとならなければならない。また、開栓する際に口栓を片手で握り難くなってしまう。
【０００８】
本発明は、このような観点からなされたもので、口栓の握り易さを損なうことなく、開栓に必要となる力を口栓にかけやすくすることのできる合成樹脂製ボトルを提供するものである。
【課題を解決するための手段】
【０００９】
本発明に係る合成樹脂製ボトルは、内容量が１０００ミリリットル未満となり、口栓が螺合すべき口部と、該口部から連続して徐々に外径が大きくなるように形成される肩部と、該肩部に続く胴部とを有する合成樹脂製ボトルであって、前記口部の外径が３５ミリメートル以上５０ミリメートル以下の範囲内であって、前記胴部の外径が５０ミリメートル以上７０ミリメートル以下の範囲内にある構成となる。
【００１０】
このような構成により、片手で比較的握りやすい胴部の外径範囲５０ミリメートルから７０ミリメートルにおいて、口部の外径は、３５ミリメートルから５０ミリメートルの範囲となる。通常、口栓はポリプロピレン等の合成樹脂製で、その肉厚は１ミリメートル〜２ミリメートル程度であるので、このような外径の口部に噛み合う口栓であれば、通常の者が人差し指と親指にて握ることができる。また、前記範囲にある口部の外径は、従来の合成樹脂製（ペット）ボトルの口部の代表的な外径である２７ミリメートルより大きくなり、口栓を手指で握りやすく、その開栓に必要な力を従来のペットボトルよりもかけやすくなる。
【００１１】
また、本発明に係る合成樹脂製ボトルは、内容量が１０００ミリリットル未満となり、口栓が螺合すべき口部と、該口部から連続して徐々に外径が大きくなるように形成される肩部と、該肩部に続く胴部とを有する合成樹脂製ボトルであって、前記胴部の外径が６０ミリメートル以上７０ミリメートル以下の範囲内であり、前記口部の外径と前記胴部の外径との比が０．５以上、０．６以下となる範囲内にある構成となる。
【００１２】
このような構成により、片手で比較的握り易い胴部の外径範囲６０ミリメートルから７０ミリメートルにおいて、口部の外径は、３０ミリメートルから４２ミリメートルの範囲となる。このような外径の口部に噛み合う口栓であれば、前述したのと同様に、通常の者が人差し指と親指にて握ることができる。そして、前記範囲にある口部の外径は、従来の合成樹脂製（ペット）ボトルの口部の代表的な外径である２７ミリメートルより大きくなり、口栓を手指で握りやすく、その開栓に必要な力を従来のペットボトルよりもかけやすくなる。
【００１３】
前記口部の外径と前記胴部の外径との比は、好ましくは、０．５４以上、０．５６以下となる範囲内とすることができる。
【００１４】
このような構成により、片手で比較的握りやすい胴部の外径範囲６０ミリメートルから７０ミリメートルにおいて、口部の外径は、３２．４ミリメートルから３９．２ミリメートルの範囲となる。
【００１５】
また、本発明に係る合成樹脂製ボトルは、前記口部の外壁に、前記口栓と噛み合う多条螺子が形成された構成とすることができる。
【００１６】
このような構成により、開栓する際に口部に噛み合う口栓を回転すべき量を減らすことができ、より開栓し易くなる。
【００１７】
更に、本発明に係る合成樹脂製ボトルは、前記胴部に、凹凸を有するパネル面が形成された構成とすることができる。
【００１８】
このような構成により、ボトル胴部の外側をラベルにて覆った際に、ラベルとパネル面との間の少なくとも一部に空隙ができるので、ボトルの内容物が常温以外の冷たいあるいは熱い状態にあっても、容器を握る手指と内容物との間の熱伝導性が低くなり、手指でボトルを握りやすく開栓しやすくなる。
【発明の効果】
【００１９】
本発明に係る合成樹脂製ボトルによれば、口部の外径が、当該口部に噛み合う口栓を通常の者が人差し指と親指にて握ることができる範囲内に維持されつつ、従来の合成樹脂製（ペット）ボトルの口部の代表的な外径である２７ミリメートルより大きくなって、その開栓に必要な力も従来のペットボトルよりも手指でかけやすくなることから、一方の手で胴部を握りながら他方の手で容易に開栓することが可能となる合成樹脂製ボトルを実現することができる。
【発明を実施するための最良の形態】
【００２０】
本発明の実施の形態について、図面を用いて説明する。
【００２１】
本発明の実施の形態に係る合成樹脂製ボトルとなるペットボトルは、図１に示すように構成される。
【００２２】
図１において、このペットボトルは、口栓が螺合すべき口部１１と、口部１１から連続して徐々に外径が大きくなる肩部１２と、肩部１２に続く胴部１３とを備えた構造となっている。口部１１の外壁には口栓と噛み合う二条螺子１１ａが形成されている。また、胴部１３の外周にはペットボトル内の昇圧及び減圧を吸収するためのパネル部１４が複数形成されている。各パネル部１４は凹凸形状となっている。
【００２３】
このような構造を有し、内容量が２８０ml、３５０ml、５００mlとなる３種のペットボトルを作成した。各ペットボトルの外形形状は、以下の表に示す通りである。
【００２４】
【表２】
2005104547.tif 000004
【００２５】
内容量が２８０mlのペットボトルでは、胴部１３の外径が片手で握り易い寸法範囲内となる６６ｍｍであり、口部１１の外径が３７mmとなる。この場合、口部１１の外径（口径）と胴部１３の外径（胴径）との比は、０．５６となる。また、内容量が３５０mlのペットボトルでは、胴部１３の外径が片手で握り易い寸法の範囲内となる６８mmであり、口部１１の外径が３７mmとなる。この場合、口部１１の外径と胴部１３の外径との比は、０．５４となる。更に、内容量が５００mlのペットボトルでは、胴部１３の外径が片手で握り易い寸法範囲内となる６８mmであり、口部１１の外径が３７mmとなる。この場合、口部１１の外径と胴部１３の外径との比は、０．５４となる。
【００２６】
このような構造の各種のペットボトルでは、口部１１の外径が３７mmとなって、その口部に噛み合う口栓であれば、通常の者が人差し指と親指にて握ることができ、その握り易さが損なわれることはない。また、そのような口部１１の外径は、従来の代表的なペットボトルの外径（２７mm）より大きくなることから、その口部１１に噛み合う口栓に対して開栓に必要な力を従来のペットボトルよりかけやすくなる。更に、口部１１に形成されて口栓と噛み合う螺子が二条螺子１１ａとなっていることから、通常の一条螺子に比べて、少ない回転動作で開栓することが可能となり、その開栓動作がより容易になる。
【００２７】
なお、片手で比較的握り易い胴部１３の外径範囲５０mm〜７０mmにおいて、口部１１の外径が３５mm〜５０mm程度の範囲内あれば、前述した実例と同様の効果を得ることができる。
【００２８】
図２に本発明の他の実施の形態に係る合成樹脂製ボトルとなるペットボトルを示す。
【００２９】
図２において、このペットボトルは、前述した例（図１参照）と同様に、口栓が螺合すべき口部１１と、口部１１から連続して徐々に外径が大きくなる肩部１２と、肩部１２に続く胴部１３とを備えた構造となっている。口部１１の外壁には口栓と噛み合う三条螺子１１ｂが形成されており、胴部１３の外周にはペットボトル内の昇圧及び減圧を吸収するためのパネル部１４が複数形成されている。各パネル部１４は凹凸形状となっている。
【００３０】
このような構造を有し、内容量が２００mlとなるペットボトルを作成した。このペットボトルの外形形状は、以下の表に示すとおりである。
【００３１】
【表３】
2005104547.tif 000005
【００３２】
この内容量２００mlのペットボトルでは、胴部１３の外径が片手で握り易い寸法範囲となる５４mmであり、口部１１の外径が４７mmとなる。この場合、胴部１３の外径が前記５０mm〜７０mmの範囲内にあり、口部１１の外径が前記３５mm〜５０mmの範囲内にある。なお、口部１１の外径と胴部１３の外径との比は０．８７となる。
【００３３】
図１、図２に示したように、本発明の実施の形態に係る合成樹脂製ボトル（ペットボトル）の胴部１３には、凹凸を有するパネル部１４が形成されている。通常、この種のボトルは、胴部１３の周囲を商品名や内容物の種類などが印刷されたラベルで覆った状態で販売される。ラベルとして、ポリスチレン樹脂製やポリエチレンテレフタレート樹脂製のストレッチラベルあるいはシュリンクラベルが使用される。ボトルの胴部１３に凹凸のあるパネル部１４が形成されていると、図３のボトル胴部水平断面図（図２におけるＡ−Ａ断面図）に模式的に示すように、胴部１３を覆うラベル１６とパネル部１４との間に空隙１５が形成される。
【００３４】
ボトル入り飲料は、冷蔵販売やホット販売される場合が多いが、内容物が常温以外の冷たいあるいは熱い状態にあっても、前述したようにボトルの胴部１３に形成されたパネル部１４とラベル１６との間に空隙１５があると、熱伝導性が低くなり、手指でボトルを握り易くなるので、開栓がし易くなる。また、胴部１３の表面に凹凸があるとすべり止めの効果も奏する。
【産業上の利用可能性】
【００３５】
本発明に係る合成樹脂製ボトルは、口部の外径が、当該口部に噛み合う口栓を通常の者が人差し指と親指にて握ることができる範囲内に維持されつつ、従来の合成樹脂製（ペット）ボトルの口部の代表的な外径である２７ミリメートルより大きくなって、その開栓に必要な力も従来のペットボトルよりも手指でかけやすくなることから、口栓の握り易さを損なうことなく、容易に開栓することが可能となり、ペット（ポリエチレンテレフタレート（ＰＥＴ）等の合成樹脂にて形成されるボトルとして有用である。
【図面の簡単な説明】
【００３６】
【図１】本発明の実施の形態に係る合成樹脂製ボトルであるペットボトルの外形形状を示す図である。
【図２】本発明の他の実施の形態に係る合成樹脂製ボトル（ペットボトル）の外形形状を示す図である。
【図３】図２に示すペットボトルの胴部水平断面図（Ａ−Ａ断面図）である。
【符号の説明】
【００３７】
１１  口部
１１ａ  二条螺子
１１ｂ  三条螺子
１２  肩部
１３  胴部
１４  パネル部
１５  空隙
１６  ラベル
【図１】
2005104547.tif 000006
【図２】
2005104547.tif 000007
【図３】
2005104547.tif 000008